(57)【特許請求の範囲】
【請求項１】
陸屋根と、前記陸屋根の外周縁に立ち上げられた中空のパラペットと、前記陸屋根下部に設けられた小屋裏とを備えた建物において、前記小屋裏内の空気を連通部を介して前記パラペットの内部に導入し、該パラペットの上端から屋外に排出する小屋裏換気構造であって、
前記パラペットは、平行に立設される２つの下地板の間に上端が密封された中空部を備えると共に、少なくとも一方の下地板の外側に該下地板から通気間隙を開けて外装材が固定されており、前記一方の下地板に前記中空部と前記通気間隙とを連通する通気部が設けられており、
該通気部には、少なくとも前記中空部側の端部に立ち上がって形成され、前記通気間隙に侵入した雨水が前記中空部に侵入することを防ぐ水切が設けられることを特徴とする小屋裏換気構造。
【請求項２】
前記連通部は、前記小屋裏の天面に、前記パラペットの下端に架設されている梁と当接する部分及び前記小屋裏に開口して設けられた切欠であることを特徴とする請求項１に記載の小屋裏換気構造。
【請求項３】
前記小屋裏は、前記陸屋根を支持する小屋梁を備え、
前記小屋裏の天面には、該小屋裏内の空気流通に使用される前記小屋梁と当接する部分をまたぐ切欠が設けられることを特徴とする請求項１又は請求項２に記載の小屋裏換気構造。
【発明の詳細な説明】
【技術分野】
【０００１】
本発明は、陸屋根を有する建物の小屋裏換気構造に関する。
【背景技術】
【０００２】
陸屋根を有する建物における小屋裏には、該小屋裏内の温度が低い場合等において、湿気を含んだ空気が流入し滞留すると、結露が発生する場合がある。そこで、小屋裏には、結露の発生を抑制するために小屋裏換気構造を設けることが必要である。
【０００３】
例えば、特許文献１には、小屋裏内の梁に通気用の孔を設けることにより、小屋裏と、前記陸屋根に設けられるパラペット内の中空部との通気経路を形成し、更に、パラペット上端においてパラペットの外装材とパラペットの笠木との間に前記中空部と建物の屋外を連通する通気経路を形成することで、小屋裏の換気が可能であるとされる小屋裏換気構造が開示されている。
【先行技術文献】
【特許文献】
【０００４】
【特許文献１】特開２００８−２８５９１４号公報
【発明の概要】
【発明が解決しようとする課題】
【０００５】
しかしながら、特許文献１に開示される小屋裏換気構造は、建物の防水性の低下が発生する。それは、中空部と建物の屋外を結ぶ通気経路を介して、該中空部に雨水が侵入するからである。また、前記小屋裏換気構造は、前記梁に通気用の孔を設けることになるが、小屋梁に孔を開けることにより、構造面での不利が生じ、それを補うためにプランニングの自由度が低下してしまうという問題も発生する。この問題は、木造建築の場合に特に顕在化する。
【０００６】
本発明は、上記のような課題を解決することを目的としてなされたものであり、陸屋根を有する建物において、高い防水性を実現でき、また、梁に孔を開ける必要がない小屋裏換気構造を提供することを目的とする。
【課題を解決するための手段】
【０００７】
上記目的を達成するために、請求項１の小屋裏換気構造は、陸屋根と、前記陸屋根の外周縁に立ち上げられた中空のパラペットと、前記陸屋根下部に設けられた小屋裏とを備えた建物において、前記小屋裏内の空気を連通部を介して前記パラペットの内部に導入し、該パラペットの上端から屋外に排出する小屋裏換気構造であって、前記パラペットは、平行に立設される２つの下地板の間に上端が密封された中空部を備えると共に、少なくとも一方の下地板の外側に該下地板から通気間隙を開けて外装材が固定されており、前記一方の下地板に前記中空部と前記通気間隙とを連通する通気部が設けられており、該通気部には、少なくとも前記中空部側の端部に立ち上がって形成され、前記通気間隙に侵入した雨水が前記中空部に侵入することを防ぐ水切が設けられることを特徴とする。
【０００９】
また、請求項２の小屋裏換気構造は、前記連通部が、前記小屋裏の天面に、前記パラペットの下端に架設されている梁と当接する部分及び前記小屋裏に開口して設けられた切欠であることを特徴とする。
【００１０】
また、請求項３の小屋裏換気構造は、前記小屋裏が、前記陸屋根を支持する小屋梁を備え、前記小屋裏の天面には、該小屋裏内の空気流通に使用される前記小屋梁と当接する部分をまたぐ切欠が設けられることを特徴とする。
【発明の効果】
【００１１】
請求項１に記載の小屋裏換気構造では、パラペットが、２つの下地板の間に上端が密封された中空部と、前記下地板と外装材との間の通気間隙とを有しており、一方の下地板に、前記中空部と前記通気間隙とを連通する通気部が設けられている。これにより、本小屋裏換気構造では、小屋裏内の空気を連通部、前記中空部、前記通気間隙を介して、前記パラペットの上端から屋外に排気する。そのため、本小屋裏換気構造は、前記中空部に屋外より直接雨水が侵入することがないので、該中空部への雨水の侵入を抑制でき、もって、適用される建物の防水性を高めることができる。
【００１２】
さらに、請求項１に記載の小屋裏換気構造では、前記通気部の該中空部側の端部に立ち上がって該通気部に形成される水切により、前記通気間隙に侵入した雨水が前記中空部に侵入することを防止できるので、より高い防水性を発揮する。
【００１３】
請求項２に記載の小屋裏換気構造では、前記小屋裏の天面に、前記パラペットの下端に架設されている梁に当接する部分及び小屋裏に開口して設けられた切欠により、前記連通部を実現するので、前記梁に孔を開けることなく、該小屋裏の換気を行うことができる。
【００１４】
請求項３に記載の小屋裏換気構造では、前記小屋裏の天面に、小屋梁と当接する部分をまたぐ切欠を設けることにより、該小屋梁の上方において、通気経路を確保することができる。これにより、本小屋裏換気構造では、前記小屋梁の梁背に関わらず、前記小屋裏全体を均質に換気することができる。
【図面の簡単な説明】
【００１５】
【図１】本発明の実施形態の小屋裏換気構造が適用された建物の断面図。
【図２】外部化粧材、ガラリを省略したパラペット下地の拡大正面図。
【図３】水切の拡大斜視図。
【図４】床仕上げ材を省略した床合板の拡大平面図。
【図５】本発明の他の実施形態の小屋裏換気構造が適用された建物の断面図。
【図６】本発明の他の実施形態の水切の拡大斜視図。
【発明を実施するための形態】
【００１６】
以下、図面を参照しつつ、本発明の実施の形態を説明する。本発明の小屋裏換気構造１は、図１に示すように、陸屋根２と、その外周縁に立ち上げられた中空のパラペット３と、陸屋根２下部に設けられた小屋裏４を備えた建物５に適用されるものであり、小屋裏４内の空気を切欠（連通部）６、７を介してパラペット３の内部に導入し、パラペット３の上端から屋外に排出するものである。なお、本実施の形態においては、建物５を木造建築として示しているが、鉄筋コンクリート建築、鉄骨造建築、枠組壁工法建築等であっても小屋裏換気構造１を適用することが可能である。
【００１７】
前記陸屋根２は、小屋裏４の天面でもある平板状の床合板８と、該床合板８の屋外９側表面に敷設された防水性を有する床仕上げ材１０を備える。前記パラペット３は、図外の防水シートが屋外９側の表面に貼付されると共に、水切１１が取付けられ、床仕上げ材１０の端部横から立設した平板状の立上げ下地サイディング（下地板）１２と、該立上げ下地サイディング１２と平行に立設した平板状のパラペット下地（下地板）１３を備えている。立上げ下地サイディング１２とパラペット下地１３との間には、中空部１４がその上端において下地木１５により密封された状態で形成されている。
【００１８】
また、パラペット３は、パラペット下地１３の外側に、該パラペット下地１３から通気間隙１６を開けて、建物５の外壁である平板状の外装材１７が配設されている。パラペット下地１３には、中空部１４と通気間隙１６とを連通するガラリ（通気部）１８が、該パラペット下地１３に所定間隔毎に横方向に複数空けられた貫通孔１９（図２参照）の夫々に、該ガラリ１８から屋外９から通気間隙１６に侵入した雨水が、中空部１４へ侵入することを防ぐ防水カバー２０を取付けられた状態で配設されている。このガラリ１８には、中空部１４側の端部に立ち上がって形成され、屋外９から通気間隙１６に侵入した雨水が、該中空部１４に侵入することを防ぐ水切１８ａが設けられている。また、パラペット３の上端には、屋外９と、通気間隙１６とを連通する貫通孔２１が設けられている側面視略コの字型の水切２２（図３参照）が取付けられており、その更に上方に側面視略コの字型の笠木２３が配設されている。更に、パラペット３の下端には、パラペット下地１３と一方の側面が当接し、他方の側面が床合板８と当接し、下枠材２４が配設されている。
【００１９】
前記小屋裏４は、床合板８、下枠材２４を天面としており、また、石膏ボード２５を床面としている。小屋裏４内には、パラペット３の下端に、前記床合板８、下枠材２４を支持し、パラペット下地１３を固定する梁３０が架設されている。この梁３０には、建物５の室２６と壁面２７により区切られた壁面内空間２８と小屋裏４、若しくは中空部１４との通気経路として使用されるスリット２９がパラペット下地１３の側面、及び上面に設けられている。また、小屋裏４内には、上面が床合板８を載置すると共に、一端が梁２５ａに支持されている補強支持用の固定部材３１の他端が側面に固定されている小屋梁３２が架設され、更に、梁２５ａ上に、梁３０、及び小屋梁３２に当接する嵩だかを有する断熱材３３が敷設されている。
【００２０】
ここで、図４に示すように、床合板８、下枠材２４には、小屋裏４と中空部１４とを連通する切欠６、７が、梁３０に当接する部分に所定間隔を有して複数設けられている。なお、床合板８に設けられる切欠６は、梁３０に載置して当接する部分、及び小屋裏４に開口するように設けられる。また、この切欠６、７が形成される場所は、床合板８、下枠材２４夫々の端部であることにより、切欠６、７は床合板８、下枠材２４夫々の端部からの簡単な加工のみで形成することができる。また、切欠６、７の形状は、図４に図示した四角形の孔に限定されず、スリット状等であってよいため、加工しやすい任意の形状とすることが可能である。
【００２１】
また、床合板８には、小屋梁３２に載置して当接する部分をまたいでその両側が小屋裏４に開口するように、かつ、図４に示すように所定間隔を有して複数の切欠３４、３５が設けられている。このような、切欠３４、３５が設けられることにより、小屋梁３２の上方にて通気経路が確保されるので、小屋裏４内において、小屋梁３２と断熱材３３とにより遮蔽されている小屋梁３２の右側面側の空間と、該小屋梁３２の左側面側の空間との間の通気は可能となる。なお、この切欠３４、３５が形成される場所、即ち小屋梁３２の上方において、２枚の床合板８ａ、８ｂが接続して並べられている。従って、切欠３４、３５は、夫々の床合板８ａ、８ｂの端部に形成されるので、切欠６、７と同様簡単な加工で形成することができる。
【００２２】
以上に基づき、小屋裏換気構造１においては、小屋裏４内の梁３０に当接する床合板８、下枠材２４に設けられた切欠６、７により、小屋裏４と、パラペット下地１３と立上げ下地サイディング１２との間の中空部１４とが連通される。中空部１４は、その上端において下地木１５により密封されており、中空部１４と、パラペット下地１３、外装材１７間の通気間隙１６とは、パラペット下地１３に配設されるガラリ１８により連通されている。また、通気間隙１６は、パラペット３の上端に配設される水切２２に設けられる貫通孔２１により笠木２３内を介して屋外９に連通されている。以上により、小屋裏換気構造１は、小屋裏４内の空気を、切欠６、７を通過して、中空部１４に、また、ガラリ１８介して通気間隙１６に流入し、パラペット３の上端から貫通孔２１を通じて屋外に流出する。そのため、本小屋裏換気構造１は、中空部１４に屋外９より直接雨水が侵入することがないので、該中空部１４への雨水の侵入を抑制でき、もって適用される建物５の防水性を高めることができる。
【００２３】
更に、小屋裏換気構造１は、ガラリ１８にその中空部１４側の端部に立ち上がって形成された水切１８ａを有しており、屋外９から通気間隙１６に侵入した雨水が、該中空部１４に侵入することを防ぐことができるので、より高い防水性を発揮する。また、梁３０に孔を空ける必要がないので、構造面での不利を生じさせることなく、建物５に適用することができ、もって該建物５のプランニングの自由度を向上させる。この効果は、特に建物５を木造建築としたときに顕著に発揮される。また、小屋裏換気構造１では、外装材１７に屋外９と建物５の内部とを連通するガラリを設置する必要がないので、該建物５の意匠性が向上する。更に、このことは建物５の防水性を向上させる効果も発揮する。
【００２４】
また、小屋裏換気構造１では、陸屋根２の外周縁に立ち上げられたパラペット３全域を利用して、小屋裏４の換気を行うことができるので、小屋裏４全体を均質に換気することができる。更に、小屋裏換気構造１は、小屋梁３２に載置している床合板８の継ぎ目に、前記切欠３４、３５が設けられているので、小屋裏４内において、小屋梁３２と断熱材３３とにより遮蔽されている小屋梁３２の左右側面側の空間の通気を可能としている。即ち小屋裏換気構造１は、小屋梁３２の梁背、及び断熱材３３の嵩だかに関わらず、小屋裏５全体を均質に換気することができるので、建物５に適用する小屋梁３２、断熱材３３のバリエーションを増やすことができ、このことからも、建物５の構造的、またプランニングの自由度を向上させる。
【００２５】
次に、図５及び６に基づいて本発明の他の実施の形態である小屋裏換気構造４１について説明する。小屋裏換気構造４１は、ルーフバルコニーとして使用される陸屋根４２を有する建物４３に適用される点で、前記小屋裏換気構造１とは異なるが、小屋裏換気構造１と同一の構成については、同一符号を付し、説明を省略する。また、本実施の形態においては、建物４３を木造建築として示しているが、鉄筋コンクリート建築、鉄骨造建築、枠組壁工法建築等であっても小屋裏換気構造４１を適用することが可能である。
【００２６】
前記陸屋根４２は、雨水を集め、排出するための陸箱樋４４が設けられ、また、これに伴い、平板状の床合板４５の外周に沿って、同じく平板状の帯板４６、床合板４７が配設されており、更に、床合板４５、及び帯板４６の屋外９側表面に防水性を有する床仕上げ材４８ａが敷設されている。なお、床合板４５、４７、及び、帯板４６は、下枠材２４と共に、小屋裏４８の天面でもある。
【００２７】
パラペット４９は、陸屋根４２の外周縁に立ち上げられた中空のものであり、立上げ下地サイディング１２の上方に連結された平板状のパラペット下地（下地板）５０を備えている。パラペット下地１３と、パラペット下地５０とは、平行に立設されており、その間に形成される中空部５１は、その上方においてパラペット下地５２により密封されている。また、パラペット４９は、パラペット下地５０の外側に、該パラペット下地５０から通気間隙５３を開けて、外装材５４が配設されている。パラペット下地５０には、中空部５１と通気間隙５３とを連通するガラリ１８が、該パラペット下地５０に所定間隔毎に横方向に複数設けられた貫通孔の夫々に、該ガラリ１８の周囲から屋外９から通気間隙５３に侵入した雨水が、中空部５１へ侵入することを防ぐ防水カバー２０を取付けられた状態で配設されている。パラペット４９の上端には、屋外９と、通気間隙５３とを連通する貫通孔２１ａが設けられている水切２２ａ（図６参照）が取付けられており、その更に上方に笠木２３が配設されている。更に、パラペット４９の下端には、パラペット下地１３と一方の側面が当接する下枠材２４が配設されている。
【００２８】
小屋裏４８は下枠材２４、床合板４５、４７、帯板４６を天面としており、梁３０、小屋梁３２に加え、上面が床合板４５、及び帯板４６を載置する小屋梁５５が架設されている。下枠材２４、床合板４７には、小屋裏４８と中空部５１とを陸箱樋４４下の空間５６を介し連通する切欠（連通部）７、５７が、梁３０に載置して当接する部分、及び小屋裏４８に開口するように、所定間隔を有して複数設けられている。また、床合板４５には、小屋梁３２に載置して当接する部分をまたいで、その両端が小屋裏４８に開口するように、切欠３４、３５と同様の複数の切欠５８、５９が設けられている。なお、この切欠５８、５９が形成される場所、即ち小屋梁３２の上方において、床合板４５ａ、４５ｂが連続して並べられている。また、床合板４５、及び帯板４６には、小屋梁５５に載置して当接する部分をまたいで、その両端が小屋裏４８に開口するように、切欠３４、３５と同様の複数の切欠６０、６１が設けられている。切欠６０、６１が設けられることにより、小屋梁５５の上方において、通気経路が確保されるので、小屋裏４内において、小屋梁５５と断熱材３３とにより遮蔽されている小屋梁５５の右側面側の空間と、該小屋梁５５の左側面側の空間との間の通気は可能となる。なお、切欠５７、５８、５９、６０、６１は、夫々床合板４５ａ、４５ｂ、４７、帯板４６の端部に形成されており、切欠７と同様に、簡単な加工で形成することができる。
【００２９】
以上に基づき、小屋裏換気構造４１においては、小屋裏４８内の梁３０に当接する下枠材２４、床合板４７に設けられた切欠７、５７により、小屋裏４８と、パラペット下地１３、５０間の中空部５１とが連通される。中空部５１は、その上端においてパラペット下地５２により密封されており、中空部５１と、パラペット下地５０、外装材５４間の通気間隙５３とは、パラペット下地５０に配設されるガラリ１８により連通されている。また、通気間隙５３は、パラペット３の上端に配設される水切２２ａに設けられる貫通孔２１ａにより笠木２３を介して屋外９に連通されている。また、小屋裏換気構造４１は、小屋梁３２、５５と当接している床合板４５、帯板４６に、切欠５６、５７、５８、５９が設けられており、小屋裏４内において、小屋梁３２と断熱材３３とにより遮蔽されている小屋梁３２の右側面側の空間と、該小屋梁３２の左側面側の空間との間の通気、及び、小屋梁５５と断熱材３３とにより遮蔽されている小屋梁５５の右側面側の空間と、該小屋梁５５の左側面側の空間との間の通気を可能としている。以上により、小屋裏換気構造４１は、小屋裏換気構造１同様の効果を発揮する。
【００３０】
なお、本実施の形態で示した小屋裏換気構造１、４１は、本発明に係る小屋裏換気構造の一態様にすぎず、本発明の要旨を逸脱しない範囲内で種々の変形実施が可能である。
【産業上の利用可能性】
【００３１】
本発明に係る小屋裏換気構造は、陸屋根を有する建物に適用することができる。
【符号の説明】
【００３２】
１  小屋裏換気構造
２  陸屋根
３  パラペット
４  小屋裏
５  建物
６、７  切欠
１２  立上げ下地サイディング（下地板）
１３  パラペット下地（下地板）
１４  中空部
１６  通気間隙
１７  外装材
１８  ガラリ（通気部）
【図１】
0005424040.tif 000002
【図２】
0005424040.tif 000003
【図３】
0005424040.tif 000004
【図４】
0005424040.tif 000005
【図５】
0005424040.tif 000006
【図６】
0005424040.tif 000007